(57)【特許請求の範囲】
【請求項１】
記録媒体より複数フレームで完結する符号化方式で圧縮符号化されているビデオ信号を再生するビデオ信号再生装置において、
上記記録媒体より上記ビデオ信号をＮ倍速（Ｎは１を超える）で再生する再生制御手段と、
Ｍ系統（ＭはＮの小数点以下を切り上げた値）の復号化手段と、
上記再生制御手段で再生された再生ビデオ信号を上記複数フレーム分を単位として上記Ｍ系統の復号手段に選択的に供給する信号分配手段と、
上記Ｍ系統の復号化手段のそれぞれで復号されたビデオ信号を順次格納するメモリ手段と、
上記メモリ手段より上記Ｎ倍速の再生画像が得られるように上記複数フレームより小さな単位で上記ビデオ信号を間引いて読み出す読出制御手段と、
を備えることを特徴とするビデオ信号再生装置。
【請求項２】
記録媒体より複数フレームで完結する符号化方式で圧縮符号化されているビデオ信号を再生するビデオ信号再生装置において、
上記記録媒体より上記ビデオ信号を１〜２倍速で再生する再生制御手段と、
２系統の復号化手段と、
上記再生制御手段で再生された再生ビデオ信号を上記複数フレーム分を単位として上記２系統の復号化手段に選択的に供給する信号分配手段と、
上記２系統の復号化手段のそれぞれで復号されたビデオ信号を順次格納するメモリ手段と、
上記メモリ手段より上記１〜２倍速の再生画像が得られるように上記複数フレームより小さな単位で上記ビデオ信号を間引いて読み出す読出制御手段と、
を備えることを特徴とするビデオ信号再生装置。
【請求項３】
記録媒体より複数フレームで完結する符号化方式で圧縮符号化されているビデオ信号を再生するビデオ信号再生装置において、
上記記録媒体より上記ビデオ信号を２倍速で再生する再生制御手段と、
２系統の復号化手段と、
上記再生制御手段で再生された再生ビデオ信号を上記複数フレーム分を単位として上記２系統の復号化手段に選択的に供給する信号分配手段と、
上記２系統の復号化手段のそれぞれで復号されたビデオ信号を順次格納するメモリ手段と、
上記メモリ手段より１フレームまたは１フィールドおきにビデオ信号を読み出す読出制御手段と、
を備えることを特徴とするビデオ信号再生装置。
【請求項４】
上記符号化方式は上記複数フレームで完結するフレーム間予測符号化方式である
ことを特徴とする請求項１乃至請求項３のいずれかに記載のビデオ信号再生装置。
【発明の詳細な説明】
【０００１】
【産業上の利用分野】
この発明は、例えば、光磁気ディスク等の記録媒体より複数フレームで完結する圧縮符号化方式で圧縮符号化されているビデオ信号を再生するビデオ信号再生装置に関する。
【０００２】
【従来の技術】
図６は、光磁気再生装置の構成例を示している。図において、１は光磁気ディスク２より光ピックアップ３でビデオ信号を再生するための信号再生ブロックである。この信号再生ブロック１には、図示せずも光磁気ディスク２を回転駆動するための手段、光ピックアップ３を径方向に移動制御するための手段、光学ピックアップ３のトラッキングサーボやフォーカスサーボを行う手段等が備えられている。この信号再生再生ブロック１の動作はマイコンを有して構成される制御系ブロック４によって制御される。
【０００３】
光磁気ディスク２には、ビデオ信号が複数フレームで完結する符号化方式、例えばＭＰＥＧ等のフレーム間予測符号化方式で圧縮符号化され後に所定の方式でもって変調（チャネル符号化）されて記録されている。光ピックアップ３より得られる再生ＲＦ信号は再生アンプ５で増幅された後に、復調器６で復調され、そして復号器７で復号化されて出力端子８に出力ビデオ信号Ｖｏｕｔとして導出される。
【０００４】
次に、図７を使用して、再生動作を説明する。図７において、付された番号はフレーム番号を示している。説明を簡単にするため、光磁気ディスク２には５フレームで完結する符号化方式で圧縮符号化されたビデオ信号が記録されているものとする。
【０００５】
まず、制御系ブロック４に供給される再生速度制御信号ＳＰＣによって１倍速の再生が指示される場合を説明する。この場合、図７Ａに示すように５フレーム間隔で間欠的に５フレーム分ずつ光ピックアップ３によって光磁気ディスク２より圧縮ビデオ信号が再生される。この圧縮ビデオ信号は復調器６で復調された後に復号器７に供給されて伸張処理され、出力端子８には図７Ｂに示すように１倍速の再生画像を得ることができる出力ビデオ信号Ｖｏｕｔが得られる。
【０００６】
次に、制御系ブロック４に再生速度制御信号ＳＰＣによって２倍速の再生が指示される場合を説明する。この場合、図７Ｃに示すように５フレーム間隔で間欠的に１０フレーム分づつ光ピックアップ３によって光磁気ディスク２より圧縮ビデオ信号が再生される。この圧縮ビデオ信号は復調器６で復調された後に復号器７に供給される。復号器７では、各５フレーム期間でそれぞれ再生される最初の５フレーム分の圧縮ビデオ信号に対してのみ伸張復号化処理が行われ、出力端子８には同図Ｄに示すように２倍速の再生画像を得ることができる出力ビデオ信号Ｖｏｕｔが得られる。
【０００７】
【発明が解決しようとする課題】
図６の例によれば、２倍速の再生が指示される場合、複数フレームで完結される符号化方式で圧縮符号化されているビデオ信号にあっては、その複数フレーム（以下、「圧縮構成フレーム」という）の単位で間引きされた出力ビデオ信号Ｖｏｕｔが得られる。したがって、画像に動きがある場合、出力ビデオ信号Ｖｏｕｔによる２倍速の再生画像は動きのぎこちない非常に不自然な画像となる等の問題点がある。
【０００８】
そこで、この発明では、複数フレームで完結される符号化方式で圧縮符号化されているビデオ信号を例えば２倍速で再生する場合にも動きの自然な再生画像を得ることができるビデオ信号再生装置を提供するものである。
【０００９】
【課題を解決するための手段】
請求項１の発明に係るビデオ信号再生装置は、記録媒体より複数フレームで完結する符号化方式で圧縮符号化されているビデオ信号を再生するビデオ信号再生装置において、記録媒体よりビデオ信号をＮ倍速（Ｎは１を超える）で再生する再生制御手段と、Ｍ系統（ＭはＮの小数点以下を切り上げた値）の復号化手段と、再生制御手段で再生された再生ビデオ信号を複数フレーム分を単位としてＭ系統の復号手段に選択的に供給する信号分配手段と、Ｍ系統の復号化手段のそれぞれで復号されたビデオ信号を順次格納するメモリ手段と、メモリ手段よりＮ倍速の再生画像が得られるように上記複数フレームより小さな単位でビデオ信号を間引いて読み出す読出制御手段とを備えるものである。
【００１０】
請求項２の発明に係るビデオ信号再生装置は、記録媒体より複数フレームで完結する符号化方式で圧縮符号化されているビデオ信号を再生するビデオ信号再生装置において、記録媒体よりビデオ信号を１〜２倍速で再生する再生制御手段と、２系統の復号化手段と、再生制御手段で再生された再生ビデオ信号を上記複数フレーム分を単位として２系統の復号化手段に選択的に供給する信号分配手段と、２系統の復号化手段のそれぞれで復号されたビデオ信号を順次格納するメモリ手段と、メモリ手段より１〜２倍速の再生画像が得られるように上記複数フレームより小さな単位でビデオ信号を間引いて読み出す読出制御手段とを備えるものである。
【００１１】
請求項３の発明に係るビデオ信号再生装置は、記録媒体より複数フレームで完結する符号化方式で圧縮符号化されているビデオ信号を再生するビデオ信号再生装置において、記録媒体よりビデオ信号を２倍速で再生する再生制御手段と、２系統の復号化手段と、再生制御手段で再生された再生ビデオ信号を上記複数フレーム分を単位として２系統の復号化手段に選択的に供給する信号分配手段と、２系統の復号化手段のそれぞれで復号されたビデオ信号を順次格納するメモリ手段と、メモリ手段より１フレームまたは１フィールドおきにビデオ信号を読み出す読出制御手段とを備えるものである。
【００１３】
請求項４に係るビデオ信号再生装置は、請求項１乃至請求項３のいずれかの発明において、符号化方式が複数フレームで完結するフレーム間予測符号化方式であるものである。
【００１４】
【作用】
請求項１の発明においては、記録媒体よりＮ倍速で再生されたビデオ信号が圧縮構成フレームを単位としてＭ系統（ＭはＮの小数点以下を切り上げた値）の復号化手段に選択的に供給され、Ｍ系統の復号化手段の共働によって再生ビデオ信号の全てのフレームの伸張復号化が行われる。そのため、メモリ手段よりＮ倍速の再生画像が得られるように圧縮構成フレームより小さな間引き単位で間引いて読み出すことでＮ倍速の再生画像用の出力ビデオ信号を得ることが可能となる。圧縮構成フレームより小さな間引き単位で間引いてＮ倍速の再生画像用の出力ビデオ信号が形成されるため、動きの自然なＮ倍速の再生画像を得ることが可能となる。
【００１５】
請求項２の発明においては、記録媒体より１〜２倍速で再生されたビデオ信号が圧縮構成フレームを単位として２系統の復号化手段に選択的に供給され、２系統の復号化手段の共働によって再生ビデオ信号の全てのフレームの伸張復号化が行われる。そのため、メモリ手段より１〜２倍速の再生画像が得られるように圧縮構成フレームより小さな間引き単位で間引いて読み出すことで１〜２倍速の再生画像用の出力ビデオ信号を得ることが可能となる。圧縮構成フレームより小さな間引き単位で間引いて１〜２倍速の再生画像用の出力ビデオ信号が形成されるため、動きの自然な１〜２倍速の再生画像を得ることが可能となる。
【００１６】
請求項３の発明においては、記録媒体より２倍速で再生されたビデオ信号が圧縮構成フレームを単位として２系統の復号化手段に選択的に供給され、２系統の復号化手段の共働によって再生ビデオ信号の全てのフレームの伸張復号化が行われる。そのため、メモリ手段より１フレームまたは１フィールドおきにビデオ信号を読み出すことで２倍速の再生画像用の出力ビデオ信号を得ることが可能となる。圧縮構成フレームより小さな間引き単位で間引いて２倍速の再生画像用の出力ビデオ信号が形成されるため、動きの自然な２倍速の再生画像を得ることが可能となる。
【００１８】
請求項４の発明においては、符号化方式が複数フレームで完結するフレーム間予測符号化方式であり、記録媒体にこのフレーム間予測符号化方式で圧縮符号化が行われているビデオ信号が再生される場合、Ｎ倍速の再生を行う場合に動きの自然なＮ倍速の再生画像を得ることが可能となる。
【００１９】
【実施例】
以下、図１を参照しながら、この発明の第１実施例について説明する。本例は光磁気ディスク再生装置に適用したものであって、１〜２倍速の再生を考慮したものである。この図１において、図６と対応する部分には同一符号を付し、その詳細説明は省略する。
【００２０】
図において、４Ａはマイコンを有して構成される制御系ブロックであり、図６の例の制御系ブロック４に相当するものである。信号再生ブロック１の動作は、制御系ブロック４Ａによって制御される。また、この制御系ブロック４Ａには再生速度制御信号ＳＰＣが供給される。
【００２１】
また、光ピックアップ３より得られる再生ＲＦ信号は再生アンプ５で増幅された後に、復調器６で復調されて信号分配手段を構成する切換スイッチ９の可動端子に供給される。切換スイッチ９の切り換えは制御系ブロック４Ａによって制御される。切換スイッチ９のａ側に得られる圧縮ビデオ信号は復号器７Ａで伸張復号化された後にメモリブロック１０に書き込み信号として供給される。一方、切換スイッチ９のｂ側に得られる圧縮ビデオ信号は復号器７Ｂで伸張復号化された後にメモリブロック１０に書き込み信号として供給される。メモリブロック１０には制御系ブロック４Ａより書き込み制御信号ＷＣＳおよび読み出し制御信号ＲＣＳが供給されて制御される。
【００２２】
本例は以上のように構成され、以下図２および図３を使用して、本例の再生動作を説明する。図２および図３において、付された番号はフレーム番号を示している。説明を簡単にするため、光磁気ディスク２には５フレームで完結する符号化方式で圧縮符号化されたビデオ信号が記録されているものとする。
【００２３】
まず、制御系ブロック４Ａに供給される再生速度制御信号ＳＰＣによって１倍速の再生が指示される場合を説明する。この場合、図２Ａに示すように５フレーム間隔で間欠的に５フレーム分ずつ光ピックアップ３によって圧縮ビデオ信号が再生されると共に、切換スイッチ９はａ側に接続されたままの状態とされる。そのため、この再生圧縮ビデオ信号は復調器６で復調された後に切換スイッチ９のａ側を介して復号器７Ａに供給されて伸張復号化され、図２Ｂに示すようにビデオ信号が得られる。
【００２４】
復号器７Ａで伸張復号化されて得られるビデオ信号はメモリブロック１０に供給されて順次書き込まれ、所定時間後にこのメモリブロック１０より順次読み出され、図２Ｃに示すような１倍速の再生画像用の出力ビデオ信号Ｖｏｕｔとして出力端子８に導出される。この場合、メモリブロック１０に書き込まれたビデオ信号の全てが読み出されるので、復号器７Ａで伸張復号化されて得られるビデオ信号をメモリブロック１０の書き込み、読み出しを経ることなく直接出力端子８に導出してもよい。また、切換スイッチ９をｂ側に接続して復号器７Ｂを使用するようにしてもよく、さらに双方の復号器７Ａ，７Ｂを交互に使用するようにしてもよい。
【００２５】
次に、制御系ブロック４Ａに再生速度制御信号ＳＰＣによって２倍速の再生が指示される場合を説明する。この場合、図２Ｄに示すように５フレーム間隔で間欠的に１０フレーム分づつ光ピックアップ３によって圧縮ビデオ信号が再生され、この圧縮ビデオ信号は復調器６で復調される。切換スイッチ９は同図Ｅに示すように光ピックアップ３で再生される５フレーム分ずつの圧縮ビデオ信号に対応して交互にａ側およびｂ側に接続される。
【００２６】
そのため、復調器６で復調された圧縮ビデオ信号は５フレーム分ずつ交互に復号器７Ａおよび７Ｂに供給されて伸張復号化され、それぞれより図２ＦおよびＧに示すようにビデオ信号が得られる。そして、復号器７Ａ，７Ｂより出力されるビデオ信号はメモリブロック１０に書き込まれ、このメモリブロック１０より１フレームおきにビデオ信号が読み出され、同図Ｈに示すような２倍速の再生画像用の出力ビデオ信号Ｖｏｕｔとして出力端子８に導出される。
【００２７】
次に、制御系ブロック４Ａに再生速度制御信号ＳＰＣによって１．５倍速の再生が指示される場合を説明する。この場合、図３Ａに示すように５フレーム間隔で間欠的に交互に１０フレーム分および５フレーム分の圧縮ビデオ信号が光ピックアップ３によって再生され、この圧縮ビデオ信号は復調器６で復調される。切換スイッチ９は、同図Ｂに示すように１０フレーム分の圧縮ビデオ信号が読み出される５フレーム期間では最初の５フレーム分の圧縮ビデオ信号に対応してａ側に接続され、続く５フレーム分の圧縮ビデオ信号に対応してｂ側に接続され、さらに５フレーム分の圧縮ビデオ信号が読み出される期間ではａ側に接続される。
【００２８】
そのため、１０フレーム分の圧縮ビデオ信号が読み出される５フレーム期間の最初に復調器６で復調される５フレーム分の圧縮ビデオ信号は復号器７Ａに供給されて伸張復号化され、その５フレーム期間でつづいて復調器６で復調される５フレーム分の圧縮ビデオ信号は復号器７Ｂに供給されて伸張復号化され、さらに５フレーム分の圧縮ビデオ信号が読み出される期間では復調器６で復調される５フレーム分の圧縮ビデオ信号が復号器７Ａに供給されて伸張復号化され、復号器７Ａおよび７Ｂよりそれぞれより図３ＣおよびＤに示すようにビデオ信号が得られる。
【００２９】
そして、復号器７Ａ，７Ｂより出力されるビデオ信号はメモリブロック１０に書き込まれ、このメモリブロック１０より１．５倍速の再生画像を得るために圧縮構成フレーム（５フレーム）より小さな間引き単位で間引かれて読み出され、同図Ｅに示すような１．５倍速の再生画像用の出力ビデオ信号Ｖｏｕｔとして出力端子８に導出される。
【００３０】
詳細説明は省略するが、再生速度制御信号ＳＰＣで１〜２倍速の間で上述した１倍速、１．５倍速、２倍速以外の再生速度が指示される場合であっても、光磁気ディスク２より光ピックアップ３でその再生速度に対応して間欠的に必要な量の圧縮ビデオ信号を読み出して復調器６で復調し、その後に全てのフレームの圧縮ビデオ信号が伸張復号化されるように切換スイッチ９で復号器７Ａ，７Ｂに分配し、そしてメモリブロック１０より圧縮構成フレームより小さな間引き単位で間引いて読み出すことで、指示された再生速度の再生画像を得るための出力ビデオ信号Ｖｏｕｔを得ることができる。
【００３１】
このように本例によれば、圧縮構成フレーム（５フレーム）より小さな間引き単位で間引いて１〜２倍速の再生画像用の出力ビデオ信号Ｖｏｕｔが形成されるものであり、圧縮構成フレーム単位で間引いて出力ビデオ信号Ｖｏｕｔを得るものでなく、動きの自然な１〜２倍速の再生画像を得ることができる。
【００３２】
次に、図４を参照しながら、この発明の第２実施例について説明する。本例も光磁気ディスク再生装置に適用したものであって、１〜３倍速の再生を考慮したものである。この図４において、図１と対応する部分には同一符号を付し、その詳細説明は省略する。
【００３３】
図において、光ピックアップ３より得られる再生ＲＦ信号は再生アンプ５で増幅された後に、復調器６で復調されて信号分配手段を構成する切換スイッチ９Ａの可動端子に供給される。切換スイッチ９Ａの切り換えは制御系ブロック４Ａによって制御される。切換スイッチ９のａ側、ｂ側およびｃ側に得られる圧縮ビデオ信号は、それぞれ復号器７Ａ、７Ｂおよび７Ｃで伸張復号化された後にメモリブロック１０に書き込み信号として供給される。
【００３４】
本例は以上のように構成され、以下図５を使用して、本例の再生動作を説明する。図５において、付された番号はフレーム番号を示している。説明を簡単にするため、光磁気ディスク２には５フレームで完結する符号化方式で圧縮符号化されたビデオ信号が記録されているものとする。
【００３５】
制御系ブロック４Ａに供給される再生速度制御信号ＳＰＣによって３倍速の再生が指示される場合を説明する。この場合、図５Ａに示すように５フレーム間隔で間欠的に１５フレーム分ずつ光ピックアップ３によって光磁気ディスク２より圧縮ビデオ信号が再生され、この圧縮ビデオ信号は復調器６で復調される。切換スイッチ９Ａは同図Ｂに示すように光ピックアップ３で再生される５フレーム分ずつの圧縮ビデオ信号に対応して順次ａ側、ｂ側およびｃ側に接続される。
【００３６】
そのため、復調器６で復調された圧縮ビデオ信号は５フレーム分ずつ順次復号器７Ａ，７Ｂおよび７Ｃに供給されて伸張復号化され、それぞれより図５Ｃ，ＤおよびＥに示すようにビデオ信号が得られる。そして、復号器７Ａ，７Ｂおよび７Ｃより出力されるビデオ信号はメモリブロック１０に書き込まれ、このメモリブロック１０より２フレームおきにビデオ信号が読み出され、同図Ｆに示すような３倍速の再生画像用の出力ビデオ信号Ｖｏｕｔとして出力端子８に導出される。
【００３７】
詳細説明は省略するが、再生速度制御信号ＳＰＣで１〜２倍速の再生速度が指示される場合には、切換スイッチ９Ａはａ側およびｂ側の間で切り換え制御され、また復号器７Ｃは不使用状態とされ、図１の例と同様に制御されることで、出力端子８に１〜２倍速の再生画像用の出力ビデオ信号Ｖｏｕｔを得ることができる。また、２〜３倍速の間で上述した２倍速、３倍速以外の再生速度が指示される場合であっても、光磁気ディスク２より光ピックアップ３でその再生速度に対応し必要な量の圧縮ビデオ信号を間欠的に読み出して復調器６で復調し、その後に全てのフレームの圧縮ビデオ信号が伸張復号化されるように切換スイッチ９で復号器７Ａ，７Ｂおよび７Ｃに分配し、そしてメモリブロック１０より圧縮構成フレームより小さな間引き単位で間引いて、指示された再生速度の再生画像を得るための出力ビデオ信号Ｖｏｕｔを得ることができる。
【００３８】
このように本例においても、圧縮構成フレーム（５フレーム）より小さな間引き単位で間引いて１〜３倍速の再生画像用の出力ビデオ信号Ｖｏｕｔが形成されるものであり、圧縮構成フレーム単位で間引いて出力ビデオ信号Ｖｏｕｔを得るものでなく、動きの自然な１〜２倍速の再生画像を得ることができる。
【００３９】
なお、上述実施例においては、１〜３倍速の再生画像用の出力ビデオ信号Ｖｏｕｔを得ることができるものを示したが、同様にして３倍速より高倍速の再生画像を得るための出力ビデオ信号Ｖｏｕｔを得ることができる。一般的にＮ倍速の再生画像用の出力ビデオ信号Ｖｏｕｔを得る場合には、全てのフレーム信号を伸張復号化処理するためにＭ系統（ＭはＮの小数点以下を切り上げた値）の復号器が必要となる。
【００４０】
また、上述実施例においては、説明を簡単にするため、圧縮構成フレームを５フレームとしたものであるが、圧縮構成フレームはこれに限定されるものではない。また、上述実施例においては、間引き単位の最小を１フレームとしたものであるが、１フィールドとすることもできる。さらに、上述実施例においては、光磁気再生装置に適用したものであるが、この発明は記録媒体より複数フレームで完結する符号化方式で圧縮符号化されているビデオ信号を再生するその他のビデオ信号再生装置に同様に適用できることは勿論である。
【００４１】
【発明の効果】
請求項１の発明によれば、記録媒体よりＮ倍速で再生されたビデオ信号が圧縮構成フレームを単位としてＭ系統（ＭはＮの小数点以下を切り上げた値）の復号化手段に選択的に供給され、Ｍ系統の復号化手段の共働によって再生ビデオ信号の全てのフレームの伸張復号化が行われるため、メモリ手段よりＮ倍速の再生画像が得られるように圧縮構成フレームより小さな間引き単位で間引いて読み出すことでＮ倍速の再生画像用の出力ビデオ信号を得ることができ、従って圧縮構成フレームより小さな間引き単位で間引いてＮ倍速の再生画像用の出力ビデオ信号が形成されるため、動きの自然なＮ倍速の再生画像を得ることができる。
【００４２】
請求項２の発明によれば、記録媒体より１〜２倍速で再生されたビデオ信号が圧縮構成フレームを単位として２系統の復号化手段に選択的に供給され、２系統の復号化手段の共働によって再生ビデオ信号の全てのフレームの伸張復号化が行われるため、メモリ手段より１〜２倍速の再生画像が得られるように圧縮構成フレームより小さな間引き単位で間引いて読み出すことで１〜２倍速の再生画像用の出力ビデオ信号を得ることができ、従って圧縮構成フレームより小さな間引き単位で間引いて１〜２倍速の再生画像用の出力ビデオ信号が形成されるため、動きの自然な１〜２倍速の再生画像を得ることができる。
【００４３】
請求項３の発明によれば、記録媒体より２倍速で再生されたビデオ信号が圧縮構成フレームを単位として２系統の復号化手段に選択的に供給され、２系統の復号化手段の共働によって再生ビデオ信号の全てのフレームの伸張復号化が行われるため、メモリ手段より１フレームまたは１フィールドおきにビデオ信号を読み出すことで２倍速の再生画像用の出力ビデオ信号を得ることができ、従って圧縮構成フレームより小さな間引き単位で間引いて２倍速の再生画像用の出力ビデオ信号が形成されるため、動きの自然な２倍速の再生画像を得ることができる。
【００４５】
請求項４の発明によれば、符号化方式が複数フレームで完結するフレーム間予測符号化方式であり、記録媒体にこのフレーム間予測符号化方式で圧縮符号化が行われているビデオ信号が記録されている場合、Ｎ倍速の再生を行う場合に動きの自然なＮ倍速の再生画像を得ることができる。
【図面の簡単な説明】
【図１】この発明に係るビデオ信号再生装置の第１実施例を示す構成図である。
【図２】第１実施例の再生動作を説明するための図である。
【図３】第１実施例の再生動作を説明するための図である。
【図４】この発明に係るビデオ信号再生装置の第２実施例を示す構成図である。
【図５】第２実施例の再生動作を説明するための図である。
【図６】光磁気再生装置の構成例を示す図である。
【図７】図６の例の再生動作を説明するための図である。
【符号の説明】
１  信号再生ブロック
２  光磁気ディスク
３  光ピックアップ
４Ａ  制御系ブロック
５  再生アンプ
６  復調器
７Ａ〜７Ｃ  復号器
８  出力端子
９，９Ａ  切換スイッチ
１０  メモリブロック
【図１】
0003564745.tif 000002
【図２】
0003564745.tif 000003
【図３】
0003564745.tif 000004
【図４】
0003564745.tif 000005
【図５】
0003564745.tif 000006
【図６】
0003564745.tif 000007
【図７】
0003564745.tif 000008